(57)【要約】【課題】  ユーザの希望するコンテンツに広告を含めて印刷すると、その広告はレイアウト上邪魔であったり、印刷したコンテンツの価値を損なうものとしてユーザが不満に思うことも少なくない。【解決手段】  コンテンツに埋め込まれた付加情報を抽出し、その抽出したコンテンツの印刷が指示されると、付加情報に含まれるコンテンツの著作者情報を基に、そのコンテンツの発行元であるコンテンツサーバにコンテンツの印刷費用の少なくとも一部を要求し（Ｓ８）、その要求した印刷費用の残りを、そのコンテンツの印刷を要求したユーザに課金する（Ｓ６）。【選択図】  図４
2005329682.tif 000002
【特許請求の範囲】
【請求項１】
ネットワークを介して取得したコンテンツに基づいて印刷を行う印刷制御装置であって、
前記コンテンツに埋め込まれた付加情報を抽出する抽出手段と、
前記抽出手段により抽出された前記コンテンツの印刷が指示されると、前記付加情報に含まれる前記コンテンツの著作者情報を基に前記コンテンツの発行元に前記コンテンツの印刷費用の少なくとも一部を要求する要求手段と、
を有することを特徴とする印刷制御装置。
【請求項２】
前記付加情報は、前記コンテンツに電子透かしとして埋め込まれていることを特徴とする請求項１に記載の印刷制御装置。
【請求項３】
更に、前記要求手段により要求した印刷費用の残りを、前記コンテンツの印刷を要求したユーザに請求する手段を有することを特徴とする請求項１又は２に記載の印刷制御装置。
【請求項４】
更に、ユーザによる前記コンテンツの要求状況を集計する集計手段と、
前記集計手段により集計された要求状況に基づく前記コンテンツの関連情報を前記コンテンツの発行元に供給する供給手段と、
を有することを特徴とする請求項１乃至３のいずれか１項に記載の印刷制御装置。
【請求項５】
ネットワークを介して取得したコンテンツに基づいて印刷を行う印刷制御方法であって、
前記コンテンツに埋め込まれた付加情報を抽出する抽出工程と、
前記抽出工程で抽出された前記コンテンツの印刷が指示されると、前記付加情報に含まれる前記コンテンツの著作者情報を基に前記コンテンツの発行元に前記コンテンツの印刷費用の少なくとも一部を要求する要求工程と、
を有することを特徴とする印刷制御方法。
【請求項６】
更に、ユーザによる前記コンテンツの要求状況を集計する集計工程と、
前記集計工程で集計された要求状況に基づく前記コンテンツの関連情報を前記コンテンツの発行元に供給する供給工程と、
を有することを特徴とする請求項４又は５に記載の印刷制御方法。
【請求項７】
電子透かし情報が埋め込まれたコンテンツデータを印刷する印刷システムであって、
前記コンテンツデータに含まれる前記電子透かし情報を読み出す読み出し手段と、
前記読み出し手段により読み出した前記電子透かし情報を基に、前記コンテンツデータの付加情報を特定する特定手段と、
前記特定手段により特定された前記付加情報を項目毎に集計する計数手段と、
前記計数手段による集計結果に基づいて前記コンテンツデータを要求したユーザにサービスを提供する提供手段と、
を有することを特徴とする印刷システム。
【請求項８】
前記ユーザに提供するサービスは、前記コンテンツの印刷に要する費用の少なくとも一部の肩代わりであることを特徴とする請求項７に記載の印刷システム。
【請求項９】
更に前記計数手段による集計結果を前記コンテンツの発行元に提供する手段を有することを特徴とする請求項７又は８に項記載の印刷システム。
【請求項１０】
電子透かし情報が埋め込まれたコンテンツデータを印刷する印刷制御方法であって、
ネットワークを介してサーバからコンテンツデータを取得する工程と、
前記コンテンツデータに含まれる前記電子透かし情報を読み出す読み出し工程と、
前記読み出し工程で読み出した前記電子透かし情報を基に、前記コンテンツデータの付加情報を特定する特定工程と、
前記特定工程で特定された前記付加情報を項目毎に集計する計数工程と、
前記計数工程での集計結果に基づいて前記コンテンツデータを要求したユーザにサービスを提供する提供工程と、
を有することを特徴とする印刷制御方法。
【請求項１１】
前記ユーザに提供するサービスは、前記コンテンツの印刷に要する費用の少なくとも一部の肩代わりであることを特徴とする請求項１０に記載の印刷制御方法。
【請求項１２】
更に前記計数工程での集計結果を前記コンテンツの発行元に提供する工程を有することを特徴とする請求項１０又は１１に項記載の印刷制御方法。
【発明の詳細な説明】
【技術分野】
【０００１】
本発明は、ネットワークを介してコンテンツを取得して印刷する印刷制御装置及びその方法と印刷システムに関するものである。
【背景技術】
【０００２】
現在、公共機関や店舗等に設置されているサービス用端末を用いて、ユーザがネットワーク回線を介して、各種コンテンツを収容しているサーバからコンテンツデータを取得して、それを表示したり印刷することができるサービスシステムが知られている。（特許文献１参照）。
【特許文献１】特開２００３−１０８９０６号公報
【発明の開示】
【発明が解決しようとする課題】
【０００３】
しかし、このようなシステムを使用してコンテンツデータを印刷するためには、印刷料金などのユーザの負担が多大であった。このようなユーザの負担をなくしたり、もしくは、軽減するために、例えば、広告付きプリントとして、広告主が印刷料金を肩代わりすることも考えられるが、ユーザの希望するコンテンツに広告を含めて印刷すると、その広告はレイアウト上邪魔であったり、印刷したコンテンツの価値を損なうものとしてユーザが不満に思うことも少なくない。
【０００４】
本発明は上記問題点に鑑みてなされたもので、広告等のようにユーザにとって不要なものをコンテンツデータを付随することなく、ユーザが要求するコンテンツをユーザによる負担なし、もしくは、軽減させて印刷する技術を提供する。
【課題を解決するための手段】
【０００５】
本発明の一態様の印刷制御装置は以下のような構成を備える。即ち、
ネットワークを介して取得したコンテンツに基づいて印刷を行う印刷制御装置であって、
前記コンテンツに埋め込まれた付加情報を抽出する抽出手段と、
前記抽出手段により抽出された前記コンテンツの印刷が指示されると、前記付加情報に含まれる前記コンテンツの著作者情報を基に前記コンテンツの発行元に前記コンテンツの印刷費用の少なくとも一部を要求する要求手段とを有することを特徴とする。
【０００６】
本発明の一態様の印刷システムは以下のような構成を備える。即ち、
電子透かし情報が埋め込まれたコンテンツデータを印刷する印刷システムであって、
前記コンテンツデータに含まれる前記電子透かし情報を読み出す読み出し手段と、
前記読み出し手段により読み出した前記電子透かし情報を基に、前記コンテンツデータの付加情報を特定する特定手段と、
前記特定手段により特定された前記付加情報を項目毎に集計する計数手段と、
前記計数手段による集計結果に基づいて前記コンテンツデータを要求したユーザにサービスを提供する提供手段とを有することを特徴とする。
【０００７】
本発明の一態様の印刷制御方法は以下のような工程を備える。即ち、
ネットワークを介して取得したコンテンツに基づいて印刷を行う印刷制御方法であって、
前記コンテンツに埋め込まれた付加情報を抽出する抽出工程と、
前記抽出工程で抽出された前記コンテンツの印刷が指示されると、前記付加情報に含まれる前記コンテンツの著作者情報を基に前記コンテンツの発行元に前記コンテンツの印刷費用の少なくとも一部を要求する要求工程とを有することを特徴とする。
【０００８】
本発明の一態様の印刷制御方法は以下のような工程を備える。即ち、
電子透かし情報が埋め込まれたコンテンツデータを印刷する印刷制御方法であって、
ネットワークを介してサーバからコンテンツデータを取得する工程と、
前記コンテンツデータに含まれる前記電子透かし情報を読み出す読み出し工程と、
前記読み出し工程で読み出した前記電子透かし情報を基に、前記コンテンツデータの付加情報を特定する特定工程と、
前記特定工程で特定された前記付加情報を項目毎に集計する計数工程と、
前記計数工程での集計結果に基づいて前記コンテンツデータを要求したユーザにサービスを提供する提供工程とを有することを特徴とする。
【発明の効果】
【０００９】
本発明によれば、ユーザにとって不要なものをコンテンツデータを付随することなく、ユーザが要求するコンテンツをユーザの負担なし、もしくは、軽減させて印刷できる。
【発明を実施するための最良の形態】
【００１０】
以下、添付図面を参照して本発明の好適な実施の形態を詳しく説明する。
【００１１】
図１は、本発明の実施の形態１に係るプリントシステムの構成を示す図である。
【００１２】
図１において、インターネット回線１０４にコンテンツサーバ１０６、集計管理サーバ１０７が接続されており、更に、中継器１０５を介してＬＡＮ１０３が接続されている。このＬＡＮ１０３には、プリンタ１０１及びサービス端末１０２が接続されている。この構成において、サービス端末１０２やプリンタ１０１は、例えば公共施設や店舗等に設置されており、両者はＬＡＮ１０３のようなネットワークに接続されている。
【００１３】
ユーザはサービス端末１０２を通じて、インターネット回線１０４に接続されているコンテンツサーバ１０６にアクセスし、このコンテンツサーバ１０６から各種情報（コンテンツ）等を入手する。ユーザが、このような各種情報（コンテンツ）を入手して印刷する場合、プリンタ１０１を使用して印刷（コピー）を行うが、その際に、そのコピー料金の一部を著作者が負担してくれる仕組みとなっている。
【００１４】
ユーザが印刷を行うコンテンツである画像データの中には、その画像データの著作者が設定した電子透かし情報が埋め込まれている。このようなコンテンツは、その著作者が運営するホームページに掲載されていても良いし、それ以外の場所（例えば、著作者が販売するメディア等）にあっても良い。
【００１５】
図２は、本実施の形態に係るプリンタ１０１の構成を示すブロック図である。
【００１６】
印刷に際してユーザは、コンテンツサーバ１０６から入手したコンテンツに対して、サービス端末１０２から印刷指示を出す。このコンテンツの情報はプリンタ１０１に送られる。これによりプリンタ１０１では、以下のような処理が行われる。プリンタ１０１は、ネットワークＩ／Ｆ２０１を介してコンテンツ情報のプリントジョブを受け取り、文書記憶部２０２に記憶させる。こうして文書記憶部２０２に記憶されたデータは、必要な画像処理を行うために画像処理部２０４に送られる。画像処理部２０４には、複数の画像処理モジュール（不図示）が設けられているとともに、透かし判定モジュール２０５も接続されている。透かし判定モジュール２０５は、記憶されている参照データ記憶部２０６の参照データを参照して透かし判定を行う。この処理については以下で詳しく説明する。
【００１７】
こうして透かし判定及び画像処理が施された画像データは、画像処理部２０４により再び文書記憶部２０２に記憶される。こうして文書記憶部２０２に記憶された画像データは、制御部２０３の指示によりプリンタエンジン２０７に送られて印刷される。また、透かし判定モジュール２０５による透かし判定の結果は制御部２０３に送られてカウンタ２０８によりカウントされる。
【００１８】
以下、透かし判定モジュール２０５の詳細について説明する。
【００１９】
図３は、本実施の形態１に係る透かし判定モジュール２０５の機能構成を示す機能ブロック図で、前述の図と共通する部分は同じ記号で示している。
【００２０】
参照データ記憶部２０６には、コンテンツに対応して、その鍵データと広告主データが保存されている。鍵データは抽出パターン生成部３０１に入力され、ここで電子透かしの抽出パターンが生成される。こうして生成された抽出パターンは、電子透かし抽出部３０２に入力される。また画像処理部２０４から送られてきた画像データも電子透かし抽出部３０２に入力される。電子透かし抽出部３０２では、抽出パターン生成部３０１で抽出された抽出パターンに従って、画像処理部２０４から送られてきた画像データに埋め込まれている電子透かしデータを抽出する。こうして抽出された電子透かしデータは、電子透かし判定部３０３に入力される。電子透かし判定部３０３は、参照データ記憶部２０６から入力された広告主データを参照して、電子透かし抽出部３０２で抽出された電子透かしデータに含まれる項目を判別し、その判別情報を制御部２０３に出力する。この判別情報とは、そのコンテンツの著作者情報や、コンテンツ毎に割り振られたコンテンツＩＤ等である。制御部２０３は、その判定情報に含まれる著作者情報やコンテンツＩＤを、ＩＤ毎に集計を行うカウンタ２０８に送り集計を行う。また制御部２０３は、その著作者情報と、そのコンテンツの印刷料金の内から著作者に課金する料金とを、ネットワークＩ／Ｆ２０１を通じて集計管理サーバ１０７に送る。これにより集計管理サーバ１０７は、その送られてきた情報に基づいて、そのコンテンツの著作者に課金する。
【００２１】
あるコンテンツの一回の印刷ジョブで実行される処理は以上の通りで、上記、説明した印刷・課金までの流れをフローチャートに示したのが図４である。
【００２２】
図４は、本実施の形態１に係るプリンタ１０１における処理を説明するフローチャートで、この処理は制御部２０３の制御の下に実行される。
【００２３】
ステップＳ１で、インターネット回線１０４、中継器１０５、ＬＡＮ１０３、ネットワークＩ／Ｆ２０１を介して、コンテンツサーバ１０６からコンテンツデータを入力し、ステップＳ２で、透かし判定モジュール２０５により、そのコンテンツに埋め込まれている電子透かしを読み出す。そしてステップＳ３で、その透かし判定モジュール２０５から入力される判別情報を基に、そのコンテンツ及びその著作者を特定する。そしてステップＳ４で、そのコンテンツの印刷を行うと共に、その印刷料金を算出する。次にステップＳ５で、ステップＳ３で特定した著作者と、そのコンテンツの印刷料金の内から著作者に課金する料金とを算出し、ステップＳ６で、その著作者に課金する料金を集計管理サーバ１０７に送信する。これにより、その集計管理サーバ１０７により、その著作者に対して課金が行われる。またステップＳ７で、サービス端末１０２からそのコンテンツの印刷を指示したユーザへの課金を算出し、ステップＳ８で、そのユーザに課金する。尚、ここで著作者が全額を負担してくれる場合には、ユーザへの課金が無いことはもちろんである。
【００２４】
ユーザが一部負担するか否かはコンテンツや著作者によると考えられるが、著作者が印刷料金の一部だけを負担するのでなく、全額負担することが望ましい場合も考えられる。例えば、店舗等でスキー場案内や旅行パンフレットなどを得るときは、ユーザの負担なしで得られることが望ましい。また、ユーザが必要なときに適宜印刷するようにし、印刷された分の印刷料金が著作者に請求されるので、必要以上に印刷しておかなくてもよいというメリットもある。
【００２５】
また集計管理サーバ１０７には、もう１つの役割がある。それは、著作者に印刷料金の一部を負担してもらう代りに、その著作者に対してサービスを提供することである。即ち、プリンタ１０１は、定期的にカウンタ２０８の集計結果を集計管理サーバ１０７に送信する。集計管理サーバ１０７は、複数のプリンタ１０１から送られた膨大な集計結果を更に集計して総合集計結果を生成する。そして、この総合集計結果を著作者に送信する。この総合集計結果として、コンテンツ毎の印刷回数等といった基本情報以外にも、人気コンテンツのランキング、月別傾向、地域別傾向等も提供しても良い。これにより著作者は、このような情報を、次回からのコンテンツ制作に役立てることができる。
【００２６】
［実施の形態２］
前述の実施の形態１では、公共機関や店舗等においてあるサービス端末１０２を使用してユーザがプリントを行う例で説明したが、実施の形態２では、オフィス内のＰＣ（コンピュータ機器）５０２からプリンタ５０１により印刷させる場合を示している。
【００２７】
図５は、本発明の実施の形態２に係るプリントシステムの構成を示す図で、前述の実施の形態１と共通する部分は同じ記号で示している。
【００２８】
図５において、インターネット回線１０４にコンテンツサーバ１０６と中継器１０５が接続されている。オフィス内のＬＡＮ５０３にはプリンタ５０１とＰＣ５０２が接続されている。ここでは中継器５０５は、ＬＡＮ５０３とインターネット回線１０４とを中継して接続している。このプリンタ５０１はまた電話回線５０８を介して集計管理サーバ１０７と接続されている。このように集計管理サーバ１０７が電話回線１０７に接続されていても良い。
【００２９】
実施の形態２において、ユーザは、ＰＣ５０２を通じて、インターネット回線５０４に接続されているコンテンツサーバ５０６にアクセスして、このコンテンツサーバ５０６から各種情報（コンテンツ）等を入手する。ユーザが、このような各種情報（コンテンツ）を印刷する場合、プリンタ５０１を使用して印刷を行う。その際、その印刷料金の一部を著作者が負担してくれる仕組みとなっているのは前述の実施の形態１と同じである。更に、本実施の形態２では、オフィス内にあるプリントシステムなのでセキュリティのレベルが異なる。
【００３０】
図６は、実施の形態２に係るプリンタ５０１の構成を示すブロック図である。尚、ネットワークＩ／Ｆ６０１、画像処理部６０４、参照データ６０６、プリンタエンジン６０７は前述の実施の形態１に係るネットワークＩ／Ｆ２０１、画像処理部２０４、参照データ２０６、プリンタエンジン２０７と基本的に同一である。
【００３１】
このプリンタ５０１は、ネットワークＩ／Ｆ６０１を介してコンテンツ情報のプリントジョブを受け取って文書記憶部６０２に記憶する。こうして文書記憶部６０２に記憶されたデータは、必要な画像処理を行うために画像処理部６０４に送られて画像処理が実行される。この画像処理部６０４には、複数の画像処理モジュール（不図示）が接続されているとともに、透かし判定モジュール６０５も接続されている。この透かし判定モジュール６０５は、参照データ記憶部２０６に記憶されている参照データを基に透かしを判定する。こうして透かし判定及び画像処理を施した画像データは再び文書記憶部６０２に記憶される。こうして文書記憶部６０２に記憶された画像データは、制御部６０３の指示によりプリンタ部６０７に送られて印刷される。６０９は回線インターフェースで、電話回線５０８との間での通信インターフェースを制御している。
【００３２】
前述の実施の形態１と異なる点は、実施の形態１におけるカウンタ２０８が透かし判定モジュール６０５に内蔵されて点にある。また透かし判定モジュール６０５と制御部６０３の間に保護部６０８を設けている。この保護部６０８は、制御部６０３とは独立して機能し、パスワード又は物理的な鍵によって、透かし判定モジュール６０５のカウンタによる計数結果が、自由に制御部６０３へ流入するのを防いでいる。
【００３３】
ＰＣ５０２のユーザの意思により保護部６０８のロックを解除することにより、例えば月１回、集計管理サーバ１０７がプリンタ５０１にアクセスして、透かし判定モジュール６０５により計数されたカウンタ値を読取ることができる。これとともに、メンテナンスギャランティ等の料金から一定額を割り引くように制御部６０３に指示を出す。また集計管理サーバ１０７は、その特定された著作者に、そのカウンタ値の情報等を提供し、その見返りとしてユーザから割り引いた一定額を著作者に対して請求する。
【００３４】
図７は、本発明の実施の形態２に係る透かし判定モジュール６０５の構成を示すブロック図である。
【００３５】
参照データ記憶部６０６には、コンテンツの鍵データとコンテンツデータ、及び、そのコンテンツの著作者データが保存されている。鍵データは抽出パターン生成部７０１に入力され、ここで電子透かしの抽出パターンが生成される。この抽出パターン生成部７０１で生成された抽出パターンは、電子透かし抽出部７０２に入力される。また画像処理部６０４から送られてきた画像データも電子透かし抽出部７０２に入力される。電子透かし抽出部７０２は、その抽出パターンに従って、画像処理部６０４から送られてきた画像データに埋め込まれている電子透かしデータを抽出する。こうして抽出された電子透かしデータは、コンテンツコードと著作者コードとから構成されており、コンテンツコードは、コンテンツカウンタ７０３に入力される。コンテンツカウンタ７０３は、参照データ記憶部６０６のコンテンツデータを参照して、その抽出されたコンテンツコードに該当するコンテンツを判別し、該当するコンテンツのカウンタを加算する。
【００３６】
一方、電子透かし抽出部７０２で抽出された著作者コードは著作者カウンタ７０４に入力される。著作者カウンタ７０４は、参照データ記憶部６０６から送られてきた著作者データと、電子透かし抽出部７０２からの著作者コードとを比較して、そのコンテンツの著作者を判別し、該当する著作者のカウンタを加算する。これらのカウンタ情報は保護部６０８が許可状態に設定されている場合に、外部の集計管理サーバ５０７からの指示により読み出される。このような構成にすることにより、セキュリティ面でより安全なプリントシステムが構築できる。
【００３７】
図８は、本実施の形態２に係るプリンタ１０１における処理を説明するフローチャートで、この処理は制御部２０３の制御の下に実行される。
【００３８】
この処理は基本的に前述の実施の形態１の図４のフローチャートと同様であるが、保護部６０８による処理が含まれる点が実施の形態１と異なっている。
【００３９】
ステップＳ１１で、インターネット回線１０４、中継器１０５、ＬＡＮ５０３、ネットワークＩ／Ｆ６０１を介してコンテンツサーバ１０６からコンテンツデータを入力し、ステップＳ１２で、透かし判定モジュール６０５により、そのコンテンツに埋め込まれている電子透かしを読み出す。そしてステップＳ１３で、その透かし判定モジュール２０５から入力される判別情報を基に、そのコンテンツ及びその著作者を特定する。そしてステップＳ１４で、そのコンテンツの印刷を行うと共に、その印刷料金を算出する。次にステップＳ１５で、ＰＣ５０２からそのコンテンツの印刷を指示したユーザへの課金を算出し、ステップＳ１６で、そのユーザに課金する。またステップＳ１７で、ステップＳ１３で特定した著作者と、そのコンテンツの印刷料金の内から著作者に課金する料金とを算出する。
【００４０】
次にステップＳ１８で、ＰＣ５０２のユーザにより保護部６０８における保護状態が解除されているかどうかをみる。保護が解除されている場合はステップＳ１９に進み、その著作者に課金する料金を集計管理サーバ１０７に送信する。これにより、その集計管理サーバ１０７により、その著作者に対して課金が行われる。
【００４１】
この場合は更に、前述の実施の形態１の場合と同様に、集計管理サーバ５０７が、複数のプリンタ５０１から送られた膨大な集計結果を更に集計して総合集計結果を生成し、そのの総合集計結果を著作者に送信するようにしても良い。この総合集計結果として、コンテンツ毎の印刷回数等といった基本情報以外にも、人気コンテンツのランキング、月別傾向、地域別傾向等も提供しても良い。これにより著作者は、このような情報を、次回からのコンテンツ制作に役立てることができる。
【００４２】
以上説明したように本実施の形態２によれば、公共機関や店舗等の設置されたプリントシステムに対して、また、オフィスに設置されたプリントシステムに対して、コンテンツデータを広告付き等でなく完全な形で印刷でき、かつ、ユーザの負担の少ない、又はユーザの負担がない形式で印刷できるシステムを提供できる。
【００４３】
尚、本実施の形態では、プリンタにおいて、電子透かしの判定、課金の計算などの処理を行ったが本発明はこれに限定されるものでなく、例えばＬＡＮ或はインターネット回線などに接続されているサーバを介してプリンタが接続されていて、そのサーバにより前述の処理が実行されても良い。
【００４４】
［その他の実施の形態］
なお本発明は、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００４５】
また、本発明の目的は、前述した実施形態の機能(カメラ側や記憶装置で行われる処理、プリンタ側で行われる各種印刷処理)を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【００４６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【図面の簡単な説明】
【００４７】
【図１】本発明の実施の形態１に係るプリントシステムの概要を示す構成図である。
【図２】本発明の実施の形態１に係るプリンタの詳細を示すブロック図である。
【図３】本実施の形態１に係る透かし判定モジュールの機能構成を示す機能ブロック図である。
【図４】本実施の形態に係るプリンタにおける処理を説明するフローチャートである。
【図５】本発明の実施の形態２に係るプリントシステムの構成を示す図である。
【図６】実施の形態２に係るプリンタの構成を示すブロック図である。
【図７】本発明の実施の形態２に係る透かし判定モジュールの構成を示すブロック図である。
【図８】本実施の形態２に係るプリンタにおける処理を説明するフローチャートである。
【図１】
2005329682.tif 000003
【図２】
2005329682.tif 000004
【図３】
2005329682.tif 000005
【図４】
2005329682.tif 000006
【図５】
2005329682.tif 000007
【図６】
2005329682.tif 000008
【図７】
2005329682.tif 000009
【図８】
2005329682.tif 000010